Podtech/llm-jp-corpus-v4-ja_patent huggingface dataset:
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
ダイレクトチル鋳造による金属インゴット鋳造物の収縮巣を完全または部分的に除去する方法であって、前記方法が、
溶融金属をスパウトからダイレクトチル鋳型に注入して、所定の高さの上面を有する直立型インゴットを形成することにより、金属インゴットを鋳造することと、
前記鋳造の完了に伴い、スパウトを通した溶融金属の流れを終了させ、一方でスパウトを通したその後の注入のための金属を溶融した状態に保つように、スパウト内部のおよびスパウトに供給される金属内の十分な熱を維持することと、
インゴットの金属が縮小したときに前記上面での部分的収縮巣の形成を許容し、それから前記部分的収縮巣を少なくとも部分的に充填し、部分的巣からの溶融金属の全てまたはかなりの流出を回避し、それから前記スパウトを通した金属の流れを止めることと、
前記上面での部分的収縮巣の形成を許容し、それから、前記スパウトからの溶融金属で前記部分的収縮巣を少なくとも部分的に充填し、それからスパウトを通した金属の流れを止める工程を少なくとも一回反復することと、
前記工程の前記反復を終了することと、
前記インゴットの溶融金属との前記スパウトの接触を除去し、前記インゴットの全ての部分の金属が完全に固体になる温度まで冷却することとを含む方法。
【請求項２】
前記インゴットの金属のさらなる収縮または縮小が、前記上面の任意の部分が前記インゴットの前記所定の高さよりも低く収縮または縮小する原因とならないときにのみ、前記工程の前記反復の前記終了が遂行される、請求項１に記載の方法。
【請求項３】
前記部分的収縮巣の前記少なくとも部分的な充填のうち少なくとも一部が、前記巣の過剰充填を含む、請求項１または２に記載の方法。
【請求項４】
前記部分的収縮巣の前記少なくとも部分的な充填の全てが、前記巣の過剰充填を含む、請求項１または２に記載の方法。
【請求項５】
前記上面の高さが決定され、また前記高さが所定の下限になった時にそれぞれの少なくとも部分的な充填が開始し、前記少なくとも部分的な充填と一致する所定の上限まで上昇した時に、それぞれの少なくとも部分的な充填が終了する、請求項１〜４のいずれか１項に記載の方法。
【請求項６】
毎回の少なくとも部分的な充填の後、前記反復の前記終了の前に、前記所定の下限および前記所定の上限がそれぞれ高めの値に設定される、請求項５に記載の方法。
【請求項７】
前記上面の前記高さが表面レベルセンサーにより決定され、また前記センサーが毎回の少なくとも部分的な充填の後で、少なくとも前記上限の前記高めの値に対応する量だけ上昇する、請求項５または６に記載の方法。
【請求項８】
前記上面の前記高さが、表面レベルセンサーにより決定され、前記センサーが、鋳造の前記終了から前記工程の反復の前記終了まで徐々にかつ連続的に上昇する、請求項５または６に記載の方法。
【請求項９】
前記スパウトが、鋳造の前記終了からスパウトの前記除去まで固定の高さに維持される、請求項１〜８のいずれか１項に記載の方法。
【請求項１０】
前記工程が２〜１５回反復される、請求項１〜９のいずれか１項に記載の方法。
【請求項１１】
前記部分的収縮巣が余分な高さ４〜６ｍｍだけ過剰充填される、請求項３または４に記載の方法。
【請求項１２】
前記インゴットの全ての部分を金属が完全に固体になる温度まで冷ました後で、前記インゴットが、合計高さが最大１５０ｍｍのクラウンを隆起するまで前記工程が反復される、請求項１〜１１のいずれか１項に記載の方法。
【請求項１３】
前記インゴットの全ての部分を金属が完全に固体になる温度まで冷ました後で、前記インゴットが、合計高さが最大５０ｍｍのクラウンを隆起するまで前記工程が反復される、請求項１〜１１のいずれか１項に記載の方法。
【請求項１４】
スパウトの内部または周囲に熱を供給することで、前記金属を溶融した状態に保つようにスパウト内の金属内で十分な熱が維持される、請求項１〜１３のいずれか１項に記載の方法。
【請求項１５】
スパウトに溶融金属を供給するローンダー内に熱を供給することにより、前記金属を溶融した状態に保つように、スパウトに供給される金属内で十分な熱が維持される、請求項１〜１３のいずれか１項に記載の方法。
【請求項１６】
前記鋳造中に配布用バッグが前記スパウトに接続され、前記鋳造の終了に伴い、前記配布用バッグが前記スパウトから除去される、請求項１〜１５のいずれか１項に記載の方法。
【請求項１７】
部分的収縮巣の前記上面での形成を許容し、それから前記部分的収縮巣を少なくとも部分的に充填する前記工程の間は常に、前記スパウトの下部先端が前記インゴットの溶融金属の面より下に維持される、請求項１〜１６のいずれか１項に記載の方法。
【請求項１８】
部分的収縮巣の前記少なくとも部分的な充填が、前記部分的収縮巣の収縮によってスパウトの前記下部先端が露出する前に開始される、請求項１７に記載の方法。
【請求項１９】
前記スパウトが前記インゴットの前記上面の中央にまたは付近に位置する、請求項１〜１８のいずれか１項に記載の方法。
【請求項２０】
前記部分的収縮巣を少なくとも部分的に充填する前記工程のそれぞれの間に一時停止がある、請求項１〜１９のいずれか１項に記載の方法。
【請求項２１】
前記一時停止が少なくとも５秒の持続時間である、請求項２０に記載の方法。
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
マスクを患者の頭部に固定するためのストラップ部材であって、
シリコン材料を含む第１の材料から形成されるストラップ部分と、
前記ストラップ部分に関連付けられ、前記ストラップ部分の表面上に配される前記第１の材料と異なる第２の材料を含む通気性向上素子と、
を有するストラップ部材。
【請求項２】
前記第２の材料は、ファブリック材料又はゲル材料を含む、請求項１に記載のストラップ部材。
【請求項３】
前記第２の材料は、予め決められたパターンで配される、請求項１に記載のストラップ部材。
【請求項４】
前記第２の材料は、連続する層で配される、請求項１に記載のストラップ部材。
【請求項５】
前記通気性向上素子は、複数のマイクロバンプを有する、請求項１に記載のストラップ部材。
【請求項６】
前記ストラップ部分は、
第１の側と、
反対側の第２の側と、
前記第１及び前記第２の側の間に延在する複数のアパーチャと、
を有し、
前記第２の材料は、前記ストラップ部分の前記第２の側に配され、
前記第２の材料の一部は、前記ストラップ部分の前記複数のアパーチャの各アパーチャを通って延在する、請求項１に記載のストラップ部材。
【請求項７】
患者の頭部にマスクを固定するためのストラップ部材であって、
シリコン材料を含む第１の材料から形成されるストラップ部分と、
前記ストラップ部分に関連付けられた通気性向上素子と、
を有し、
前記通気性向上素子は、前記ストラップ部分に配されたリザーバ及び複数のアパーチャを含み、前記リザーバは、前記複数のアパーチャと連通し、前記複数のアパーチャ及び前記リザーバは、空気が前記ストラップ部分を通過することを可能にする経路を提供する、
ストラップ部材。
【請求項８】
患者の頭部にマスクを固定するためのストラップ部材であって、
患者に対向して配されるように構成される下側部分と、
前記下側部分から距離をおいて配される上側部分と、
を有し、前記上側部分が、第１の縁部及び第２の縁部において前記下側部分に結合されている、ストラップ部材。
【請求項９】
前記上側部分が、その中に形成される複数のアパーチャを有する、請求項８に記載のストラップ部材。
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
経腸栄養法用のベントシステムであって、
栄養溶液または薬剤を患者の胃または腸へ、前記胃の壁または前記腸の壁に形成した瘻孔を通して直接的に供給することを可能にする経腸栄養胃瘻部位と、
前記部位に流体連通され、前記患者から腸内消化ガスを受け取り、かつベントを有するバッグであって、前記ベントにより前記患者からの前記腸内消化ガスを前記ベントシステムから逃がせるようにした後に前記バッグを圧縮するためのベローズ機構内に配置された、該バッグとを含むことを特徴とするシステム。
【請求項２】
請求項１に記載のベントシステムであって、
前記ベントが、前記バッグ内の圧力が１．４〜５．５ｋＰａになったときに前記圧力を逃がすように構成されていることを特徴とするシステム。
【請求項３】
請求項１に記載のベントシステムであって、
前記ベントが、前記バッグ内の圧力が約３．４８ｋＰａになったときに前記圧力を逃がすように構成されていることを特徴とするシステム。
【請求項４】
請求項１に記載のベントシステムであって、
前記ベントが、前記バッグに形成され、かつ微細孔膜材料からなる不織布で覆われたスリットまたは孔を含むことを特徴とするシステム。
【請求項５】
経腸栄養法用のベントシステムであって、
患者の経腸栄養胃瘻部位に流体連通され、ベントを有するバッグであって、前記ベントにより消化ガスを逃がせるようにした後に前記バッグを圧縮するための圧縮手段内に配置された、該バッグとを含み、
人間が操作することなく、消化ガスを逃がせるようにされていることを特徴とするシステム。
【請求項６】
請求項５に記載のベントシステムであって、
前記ベントが、前記バッグ内の圧力が１．４〜５．５ｋＰａになったときに前記圧力を逃がすように構成されていることを特徴とするシステム。
【請求項７】
請求項５に記載のベントシステムであって、
前記ベントが、前記バッグ内の圧力が約３．４８ｋＰａになったときに前記圧力を逃がすように構成されていることを特徴とするシステム。
【請求項８】
請求項５に記載のベントシステムであって、
当該システムが、患者の姿勢または体位に関係なく、ガスの圧力を逃がすことができるように構成されていることを特徴とするシステム。
【手続補正書】
【提出日】平成26年3月3日(2014.3.3)
【手続補正１】
【補正対象書類名】特許請求の範囲
【補正対象項目名】全文
【補正方法】変更
【補正の内容】
【特許請求の範囲】
【請求項１】
フェース、ヒール、トウ、及び、トップエッジと、
フェースに対向して画定されるバックと、
フェースのトップエッジからバックまでの間、ならびにヒールからトウまでの間に延在するクラウンと、を備え、
クラウンは、
フェースに対して凹んだ中心部分を有する第１の領域と、
第１の領域とバックとの間の第２の領域と、
第２の領域にある複数の孔であって、少なくとも１つの孔の最大寸法が０．３インチ以下である、複数の孔と、
を備える、ゴルフクラブヘッド。
【請求項２】
フェース、ヒール、トウ、及び、トップエッジと、
フェースに対向して画定されるバックと、
フェースのトップエッジからバックまでの間、ならびにヒールからトウまでの間に延在するクラウンと、を備え、
クラウンは、
少なくとも１つの孔の最大寸法が０．３インチ以下である、複数の孔と、
フェースとバックとの間に延在する少なくとも１つの補強リブであって、補強リブの最小幅が孔の最大寸法よりも大きい、少なくとも１つの補強リブと、
を備える、ゴルフクラブヘッド。
【請求項３】
孔のすべては、略等しい最大寸法を有する、請求項１又は２に記載のゴルフクラブヘッド。
【請求項４】
孔のうちの少なくとも２つは、異なる最大寸法を有する、請求項１又は２に記載のゴルフクラブヘッド。
【請求項５】
フェース、ヒール、トウ、及び、トップエッジと、
フェースに対向して画定されるバックと、
フェースのトップエッジからバックまでの間、ならびにヒールからトウまでの間に延在するクラウンであって、複数の孔を備え、隣接する孔と比較して、各孔のサイズがフェースからバックの方向に漸次的に増加する、クラウンと、
を備える、ゴルフクラブヘッド。
【請求項６】
複数の孔は、孔の少なくとも１つの繰り返しパターンを画定する、請求項１から５のいずれか一項に記載のゴルフクラブヘッド。
【請求項７】
クラウンに画定される凹部をさらに備え、複数の孔は、凹部内に画定される、請求項１から６のいずれか一項に記載のゴルフクラブヘッド。
【請求項８】
複数の孔を被覆するため、クラウンに係合するように構成されている保護カバーをさらに備える、請求項１から７のいずれか一項に記載のゴルフクラブヘッド。
【請求項９】
複数の孔の数は、６０〜１５００個の範囲である、請求項１から８のいずれか一項に記載のゴルフクラブヘッド。
【請求項１０】
ゴルフクラブのためのクラブヘッドの製造方法であって、
フェースと、ヒールと、トウと、トップエッジと、フェースに対向して画定されるバックと、フェースのトップエッジからバックまでの間、ならびにヒールからトウまでの間に延在するクラウンと、を備えるクラブヘッドを形成するステップと、
クラウンに複数の孔を形成するステップであって、少なくとも１つの孔の最大寸法が０．３インチ以下であり、クラウンは、フェースに対して凹んだ中心部分を有する第１の領域と、第１の領域とバックとの間の第２の領域と、を画定し、孔が第２の領域に形成される、ステップと、
を備える、方法。
【請求項１１】
第２の領域に複数の孔を形成する前に、第２の領域に凹部を形成するステップをさらに備える、請求項１０に記載の方法。
【請求項１２】
複数の孔を形成するステップは、複数の孔を形成するためにクラウンを打ち抜くステップを備える、請求項１０又は１１に記載の方法。
【請求項１３】
少なくとも１つの補強リブを第２の領域に形成するステップをさらに備える、請求項１０から１２のいずれか一項に記載の方法。
【請求項１４】
少なくとも１つの補強リブを第２の領域に形成するステップをさらに備え、補強リブは、第２の領域の、孔のない部分によって画定される、請求項１０から１３のいずれか一項に記載の方法。
【請求項１５】
第２の領域にカバーを取り付けるステップをさらに備える、請求項１０から１４のいずれか一項に記載の方法。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
患者から画像を獲得するための口腔外歯科用撮像装置であって、
放射線源と、
複数の画像ピクセルの各々に対して、少なくとも第１のエネルギー閾値を満たす、受け取られた光子の計数に従って、少なくとも第１のデジタル値を提供するデジタル撮像センサと、
前記患者の頭部の両側で前記放射線源および前記デジタル撮像センサを支持する架台と、
１つ以上の２次元画像を取得するために前記デジタル撮像センサと信号通信状態にあるコンピュータと、を備える、装置。
【請求項２】
前記架台が、前記患者の頭部を中心として走査パターンで前記撮像センサおよび源を旋回させるように付勢可能である回転アクチュエータに連結され、前記患者の頭部の少なくとも一部分の２次元画像が、前記複数の画像ピクセルに基づいて再構成され、前記２次元画像が前記患者の一部分のパノラマ画像であるか、または前記２次元画像がトモシンセシス撮像技法を使用して生成され、前記少なくとも第１のエネルギー閾値が選択可能であり、前記センサは直接撮像センサである、請求項１に記載の撮像装置。
【請求項３】
前記撮像センサが、前記複数の画像ピクセルの各々に対して、第２の閾値を超える電離放射線エネルギーの光子の計数から獲得された第２のデジタル値をさらに提供する、請求項１に記載の撮像装置。
【請求項４】
前記撮像センサが、上限閾値をさらに提供し、前記少なくとも第１のデジタル値が、前記第１のエネルギー閾値を超え、かつ前記上限閾値未満である、受け取られた光子の計数に従うものであり、前記少なくとも第２のデジタル値が、前記第２のエネルギー閾値を超え、かつ前記上限閾値未満である、受け取られた光子の前記計数に従うものである、請求項３に記載の撮像装置。
【請求項５】
患者の頭部の少なくとも一部分のボリューム画像を獲得するための撮像装置であって、
放射線源およびデジタル撮像センサを備え、前記患者の頭部を中心として前記撮像センサおよび源を旋回させるように付勢可能である回転アクチュエータに連結される、回転式架台と、
前記患者の頭部に対する、前記撮像センサおよび前記放射線源の相対的縦方向位置を変化させるために付勢可能である、１つ以上の縦方向アクチュエータと、
前記患者の頭部を中心として前記撮像センサおよび前記放射線源のヘリカル走査パターンを実施するために前記回転アクチュエータおよび縦方向アクチュエータと信号通信状態にあり、さらに前記ヘリカル走査パターンに沿って、連続的位置で複数の２次元画像を取得するために前記デジタル撮像センサと信号通信状態にあるコンピュータと、を備え、
前記撮像センサが、複数の画像ピクセルの各々に対して、受け取られた電離放射線エネルギーに従ってデジタル値を提供し、前記撮像センサが、複数の画像ピクセルの各々に対して、第１の閾値を超える電離放射線エネルギーの光子の計数から獲得された第１のデジタル値、および第２の閾値を超える電離放射線エネルギーの光子の計数から獲得された第２のデジタル値を提供する、撮像装置。
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
ワイヤ上にポリマーコーティングを押し出すためのダイアセンブリであって、前記ダイアセンブリが中心長手方向軸を有し、
Ａ．外側面、およびワイヤが通過することができる経路を含むダイチップであって、前記経路が前記ダイアセンブリの前記中心長手方向軸に沿って配置された、ダイチップと、
Ｂ．胴部および頭部を含むダイ本体であって、前記胴部および前記頭部のそれぞれが内側面および外側面を含み、前記頭部が経路をさらに含み、前記頭部の経路がダイランド部を含み、前記ダイ本体胴部が、前記ダイチップの前記外側面と前記ダイ本体胴部の前記内側面との間に環状空間を画定するように前記ダイチップの周りに配置され、前記ダイ本体頭部は、前記ダイ本体胴部およびダイチップを越えて延在し、かつ前記ダイ本体頭部の前記経路が前記ダイアセンブリの前記中心長手方向軸上に存在し前記ダイチップの前記経路と位置合わせされるように配置され、前記胴部および頭部の前記内側面が、溶融ポリマーが前記環状空間を通って移動し、ワイヤが前記ダイ本体頭部を通過するときに前記ワイヤ上に被覆することができるように互いに連続する、ダイ本体と、
Ｃ．内側面を含み、前記ダイ本体の前記外側面の周りに配置され前記外側面と接触するダイホルダと、
Ｄ．前記ダイ本体頭部の前記ダイランド部の前記外側面の周りに配置され前記外側面と接触する放熱器と
を備えるダイアセンブリ。
【請求項２】
前記放熱器が、空気分配器および送風ピストルを備える冷却リングを含み、冷却媒体の供給源と流体連通する、請求項１に記載のダイアセンブリ。
【請求項３】
前記冷却媒体が圧縮空気である、請求項２に記載のダイアセンブリ。
【請求項４】
前記ダイチップ経路および前記頭部経路が管状である、請求項１〜３のいずれかに記載のダイアセンブリ。
【請求項５】
つや消し仕上げを有する被覆ワイヤの作製方法であって、溶融ポリマー組成物をワイヤに施した後、かつ前記溶融ポリマー組成物が前記ダイアセンブリから流出する前に、前記溶融組成物が、前記組成物のバルク温度を下回る温度を有するダイランド部を通り過ぎダイランド部と接触することを条件として、前記バルク温度を有する前記溶融ポリマー組成物を前記ワイヤ上に押し出すステップを含む方法。
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
電子素子をパッケージングするためのヒートシールフィルムであって、
ベース層と、
前記ベース層上に設けられる少なくとも１つの中間層であって、前記中間層の全重量を１００重量％として、
５〜７０重量％の酢酸ビニルコポリマーであって、酢酸ビニルに由来する単位がコポリマーの１０モル％超を構成する酢酸ビニルコポリマーと、
２０〜９０重量％のスチレンブタジエンコポリマーと、
０〜４０重量％の導電性ポリマーと、を含む、混合物を含む中間層と、
前記中間層の、前記ベース層とは反対側の表面に設けられる少なくとも１つのヒートシール層と、を備えるヒートシールフィルム。
【請求項２】
前記ヒートシール層が、ヒートシール層全体の全重量に対して６０％以下の含有率の導電性充填剤を更に含む、請求項１に記載のヒートシールフィルム。
【請求項３】
電子素子を備えるキャリアテープをヒートシールするためのカバーテープであって、
ベース層と、
電荷を消失させるためにベース層上に配置された中間層であって、前記中間層の全重量を１００重量％として、
５〜７０重量％の酢酸ビニルコポリマーであって、酢酸ビニルに由来する単位がコポリマーの１０モル％超を構成する酢酸ビニルコポリマーと、
２０〜９０重量％のスチレンブタジエンコポリマーと、
０〜４０重量％の導電性ポリマーと、を含む、混合物を含む中間層と、
中間層上に配置されたヒートシール層と、
前記ベース層の、前記中間層とは反対側の表面に配置された、場合により設けられる帯電防止コーティングと、を備え、
前記カバーテープの平均光透過率が少なくとも７５％であり、光学的ヘイズ値が５０％以下であり、表面抵抗率が１×１０１１以下であることにより、前記カバーテープがキャリアテープにヒートシールされて物品を形成する際、前記キャリアテープに対する前記カバーテープの平均剥離強度が少なくとも２０ｇｆ／ｍｍ（１９６Ｎ／ｍ）であり、物品が５０℃以上の温度及び９０％以上の相対湿度に少なくとも５日間曝露された場合の剥離強度の低下が１０％以下である、カバーテープ。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
分子イメージング方法における使用のための、二官能性化合物またはその塩を含む二官能性分子組成物であって、ここで、該二官能性化合物が以下の式：
【化１】
2014501714.tif 000001
｛式中、
ＸおよびＹのうちの１つはＣ＝Ｏであり、かつ、他方はＮＲであり、
各ｍおよびｐは、独立して、０〜６から選ばれ、
Ｒ1は、放射性核種をキレートすることのできるキレーティング基であり、以下の：
【化２】
2014501714.tif 000002
から選ばれ；
Ｒ、Ｒ2、Ｒ3およびＲ4は、独立して、水素または場合により置換されたＣ1-7アルキル基であり；
Ｂは、前記キレーティング基を反応性基に連結するためのリンカー基であり、以下の式：
【化３】
2014501714.tif 000003
（式中、
各Ｑは、独立して、−ＮＲ5−、−Ｃ（Ｏ）ＮＲ5−、−Ｃ（Ｏ）Ｏ−、−ＮＲ5Ｃ（Ｏ）ＮＲ5−、−ＮＲ5Ｃ（Ｓ）ＮＲ5−および−Ｏ−からなる群から選ばれ、
各Ｒ5は、独立して、水素または場合により置換されたＣ1-7アルキル基であり、
各ｑおよびｓは、独立して、０〜６から選ばれ、そして、
各ｒは、独立して、１〜６から選ばれる。）
により表され；
Ａ*は、Ｔに連結された反応した反応性基であり、
Ｔは、対象中の着目の標的に結合可能なターゲティング基である。｝
により表され、さらにここで、前記方法が、以下のステップ：
（ａ）前記二官能性化合物が前記着目の標的に結合するように、前記二官能性分子組成物を前記対象に投与するステップ；と
（ｂ）前記二官能性化合物の前記キレーティング基Ｒ1が前記着目の標的において放射性核種をキレートするように、放射性核種を含むイメージングプローブ組成物を前記対象に投与するステップ；と
（ｃ）前記放射性核種を検出して、生物系における前記着目の標的を画像化するステップ；と
を含む、前記二官能性分子組成物。
【請求項２】
前記式中、ｓが、独立して０〜６から選ばれ、各ｒが、独立して１〜６から選ばれ、かつ、ｑが、１〜６から選ばれる、分子イメージング方法における使用のための請求項１に記載の二官能性分子組成物。
【請求項３】
前記分子イメージング方法が、ＰＥＴまたはＳＰＥＴである、分子イメージング方法における使用のための請求項１または２に記載の二官能性分子組成物。
【請求項４】
前記反応性基Ａが、タンパク反応性の官能基であり、そして任意には、前記反応性基が、マレイミド、アルデヒド、エステル、ヒドラジン、ヒドラジン誘導体、アルコキシアミン、アルコキシアミン誘導体、アルキン、アルケンおよびアジド基から成る群から選択される、分子イメージング方法における使用のための請求項１〜３のいずれか１項に記載の二官能性分子組成物。
【請求項５】
Ｒ1が、以下の：
【化４】
2014501714.tif 000004
である、分子イメージング方法における使用のための請求項１〜４のいずれか１項に記載の二官能性分子組成物。
【請求項６】
前記化合物が、以下の式：
【化５】
2014501714.tif 000005
により表される、分子イメージング方法における使用のための請求項１〜５のいずれか１項に記載の二官能性分子組成物。
【請求項７】
Ｂが、以下の式：
【化６】
2014501714.tif 000006
のいずれか１つにより表される、分子イメージング方法における使用のための請求項１〜５のいずれか１項に記載の二官能性分子組成物。
【請求項８】
前記放射性核種が、スカンジウム、鉄、コバルト、銅、ガリウム、イットリウム、ジルコニウム、テクネチウム、インジウム、錫、レニウム、ガドリニウム、テルビウム、ホルミウムまたはルテチウムの同位体である、分子イメージング方法における使用のための請求項１〜７のいずれか１項に記載の二官能性分子組成物。
【請求項９】
前記放射性核種が、ガリウムの同位体であるか、またはＧａ−６８もしくはＧａ−６７である、分子イメージング方法における使用のための請求項８に記載の二官能性分子組成物。
【請求項１０】
前記ターゲティング基および着目の標的が、受容体とリガンド、または抗体と抗原、またはグルコーストランスポーターなどの代謝プローブ／グルコース、低酸素状態／低酸素応答性部位、または骨塩／ビスホスホネート、またはアビジン（もしくはストレプトアビジンもしくは関連タンパク質）／ビオチンもしくはビオチン様誘導体、またはＲＮＡ／アンチセンスＲＮＡである、分子イメージング方法における使用のための請求項１〜９のいずれか１項に記載の二官能性分子組成物。
【請求項１１】
前記ターゲティング基が、前記着目の標的における結合パートナーに結合することのできるペプチド、タンパク質、抗体、アプタマーまたは小分子リガンドである、分子イメージング方法における使用のための請求項１〜１０のいずれか１項に記載の二官能性分子組成物。
【請求項１２】
前記ターゲティング基が、アネキシンＶおよびシナプトタグミンのＣ２ドメイン、ＴＩＭＰ−２、ＣＥＡ、ＲＧＤペプチド、ソマトスタチン受容体ターゲティングペプチド、ボンベシン、ガストリンまたはＶＣＡＭターゲティングペプチドを包含する、分子イメージング方法における使用のための請求項１１に記載の二官能性分子組成物。
【請求項１３】
前記着目の標的が、病気の細胞または組織上で発現されるリガンドまたは受容体、病気の状態に関連する細胞表面抗原、癌特異的マーカーまたは組織特異的マーカーなどの腫瘍マーカーであるか、あるいは、前記着目の標的が、分子イメージングを受けている対象における位置、器官、組織タイプ、感染因子または生理学的性質である、分子イメージング方法における使用のための請求項１〜１２のいずれか１項に記載の二官能性分子組成物。
【請求項１４】
前記生物系が、分子イメージングもしくは治療を含む、病気もしくは状態の診断もしくは治療を受けている対象、または、その中でのターゲティング分子の生体内分布が評価される対象であり、そして、任意には、前記治療が、放射性核種治療または前記二官能性分子と結合した放射性核種もしくは化学療法剤を用いる癌の治療である、請求項１〜１３のいずれか１項に記載の二官能性分子組成物。
【請求項１５】
分子イメージングまたは治療の方法における使用のためのキットであって、以下の：請求項１〜１４のいずれか１項に記載の二官能性化合物を有する二官能性分子組成物であって、前記化合物は、反応性基Ａを介して生体部位、ターゲティング基、タンパク質、ポリペプチドまたはデリバリービヒクルに連結されている、二官能性分子組成物；および放射性核種を含むイメージング組成物を含む、前記キット。
【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
ポリマンナン抽出物の微粉末の調製方法であって、
所定量のフリーズドライされたアロエ粉末を秤量するステップであって、前記量が水分含有量に対して補正されるステップと、
前記フリーズドライされたアロエ粉末を脱イオン水に溶解して、溶液を形成するステップと、
有機溶媒を前記溶液に添加して第１の混合物を形成するステップであって、前記有機溶媒と前記脱イオン水との比が少なくとも２．５：１であるステップと、
前記第１の混合物を少なくとも８時間静置させるステップと、
所定体積の上清を前記第１の混合物から抜き取り、過剰体積の前記上清溶液を添加して、第２の混合物を形成するステップと、
前記第２の混合物を遠心分離するステップと、
第２の混合物中における沈殿物の存在を観察するステップと、
第２の混合物中において任意の沈殿物が観察された場合に、追加量の前記有機溶媒を第１の混合物に添加するステップと、
吸い上げることによって第１の混合物の上清をデカンテーションするステップであって、前記デカンテーションが、第２の混合物中において沈殿物が観察されない場合にのみ実施されるステップと、
減圧下、濾紙及び吸引漏斗を使用して第１の混合物から前記沈殿物を濾過するステップと、
削り取ることによって前記吸引漏斗から前記ポリマンナン抽出物の粉末を回収するステップと、
キャップをした凍結乾燥フラスコ中の前記ポリマンナン抽出物の粉末を、冷凍庫内に少なくとも８時間置くステップと、
前記ポリマンナン抽出物の冷凍粉末を、凍結乾燥機内で凍結乾燥させるステップと、
前記ポリマンナン抽出物の凍結乾燥粉末を、粉砕機内で細粒質に粉砕するステップと
を含む、前記方法。
【請求項２】
フリーズドライされたアロエ粉末が、アロエ・ベラ、キダチアロエ、アヤニシキ、タカロカイ、アロエ・ニエリエンシス、チヨダニシキ（Aloe variegate）、ホンロカイ及びアロエ・ウィルディからなる群から選択されるアロエ種に由来する、請求項１に記載の方法。
【請求項３】
有機溶媒が、メタノール、エタノール、イソプロピルアルコール及びプロパノールからなる群から選択される、請求項１又は２に記載の方法。
【請求項４】
フリーズドライされたアロエ粉末がアロエ多糖体を含み、前記アロエ多糖体が、１又は２以上の短鎖、中鎖、長鎖、極長鎖多糖体、又はそれらの任意の組合せを含む、請求項１〜３のいずれかに記載の方法。
【請求項５】
アロエ多糖体が、１１，５００ダルトン〜１０，０００，０００ダルトン超の範囲の分子量を有する、請求項４に記載の方法。
【請求項６】
フリーズドライされたアロエ粉末が、少なくとも２５％、３０％、４０％、５０％、６０％、７０％、８０％、９０％、又は９５％のアロエ多糖体を有する、請求項１〜５のいずれかに記載の方法。
【請求項７】
フリーズドライされたアロエ粉末が、６６，０００ダルトンの分子量を有するアロエ多糖体を少なくとも１４％含み、４８０，０００ダルトンの分子量を有するアロエ多糖体を少なくとも９％含み、１，０００，０００ダルトンの分子量を有するアロエ多糖体を少なくとも３．５％含み、２，０００，０００ダルトンの分子量を有するアロエ多糖体を少なくとも２．４％含む、請求項１〜６のいずれかにに記載の方法。
【請求項８】
フリーズドライされたアロエ粉末が、２，０００，０００ダルトンの分子量を有するアロエ多糖体を、１．３２％〜６．３６％の範囲で含み、１，０００，０００ダルトンの分子量を有するアロエ多糖体を、２．５５％〜３．８９％の範囲で含み、４８０，０００ダルトンの分子量を有するアロエ多糖体を、６３．８５％〜７３．３６％の範囲で含む、請求項１〜６のいずれかに記載の方法。
【請求項９】
フリーズドライされたアロエ粉末が、グルコース、マンノース、アラビノース、及びガラクトースからなる群から選択される単糖、有機酸、乳酸、リンゴ酸、クエン酸並びにアスパラギン酸からなる群から選択される１又は２以上の残留低分子量種を含有し得る、請求項１〜８のいずれかに記載の方法。
【請求項１０】
１又は２以上の残留低分子量種が、１４％〜２４％の範囲の量で存在する、請求項９に記載の方法。
【請求項１１】
ポリマンナン抽出物の微粉末が、白血病、リンパ腫、前立腺がん、乳がん及び結腸がんからなる群から選択される１又は２以上の悪性腫瘍の治療において、並びに１又は２以上の免疫障害の治療のために使用される医薬組成物、或いは１又は２以上のナチュラルキラー（ＮＫ）細胞の７５〜８０％の増加を引き起こす医薬組成物の調製において使用される、請求項１〜１０のいずれかに記載の方法。
【請求項１２】
脱イオン水に溶解された微細なポリマンナン抽出物及び１又は２以上の医薬品保存剤を含む、白血病、リンパ腫、前立腺がん、乳がん及び結腸がんからなる群から選択される１又は２以上のがんの治療剤であって、週に２又は３回注射によって投与することを特徴とする、前記治療剤。
【請求項１３】
ポリマンナン抽出物の投薬量が、個体の体重、年齢、民族性及び性別によって決まる、請求項１２に記載の治療剤。
【請求項１４】
ポリマンナン抽出物がアロエ多糖体を含み、前記アロエ多糖体が、１又は２以上の短鎖、中鎖、長鎖、極長鎖多糖体、又はそれらの任意の組合せを含む、請求項１２又は１３に記載の治療剤。
【請求項１５】
アロエ多糖体が、１１，５００ダルトン〜１０，０００，０００ダルトン超の範囲の分子量を有する、請求項１４に記載の治療剤。
【請求項１６】
ポリマンナン抽出物が少なくとも２５％、３０％、４０％、５０％、６０％、７０％、８０％、９０％、又は９５％のアロエ多糖体を有する、請求項１２〜１５のいずれかに記載の治療剤。
【請求項１７】
ポリマンナン抽出物が、１又は２以上のナチュラルキラー（ＮＫ）細胞の７５〜８０％の増加を引き起こす、請求項１２〜１６のいずれかに記載の治療剤。
【請求項１８】
脱イオン水に溶解された微細なポリマンナン抽出物及び１又は２以上の医薬品保存剤を含む、免疫系の不全又は免疫疾患を有する個体における免疫調節又は免疫刺激剤であって、血液中の腫瘍壊死因子アルファ（ＴＮＦα）のレベルを増加し、静脈内に投与することを特徴とする前記免疫調節又は免疫刺激剤。
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
その必要がある患者の結合組織の損傷または障害の治癒を促進するための方法において使用するための医薬組成物であって、胚外サイトカイン分泌(ECS)細胞、それに由来するならし培地、それに由来する細胞溶解物、それに由来する細胞産物、および生理的サイトカイン溶液(PCS)からなる群から選択される1種以上の組成物の治療上有効量を含み、該方法が、該医薬組成物を該患者に投与することを含む、前記医薬組成物。
【請求項２】
結合組織の損傷および障害が、裂傷、断裂、捻挫、ストレイン、挫傷、腱炎/腱症、剥離、滑液包炎、腱鞘炎、疲労骨折および手術からなる群から選択される、請求項１に記載の医薬組成物。
【請求項３】
ECS細胞が羊膜由来多能性前駆(AMP)細胞である、請求項１に記載の医薬組成物。
【請求項４】
ならし培地が羊膜由来細胞性サイトカイン溶液(ACCS)またはプールされたACCSである、請求項１に記載の医薬組成物。
【請求項５】
ACCSおよびプールされたACCSが持続放出用に製剤化されている、請求項４に記載の医薬組成物。
【請求項６】
ECS細胞、それに由来するならし培地、それに由来する細胞溶解物、またはそれに由来する細胞産物を含む前記医薬組成物を、他の物質または治療法と組み合わせて投与する、請求項１に記載の医薬組成物。
【請求項７】
他の物質が活性物質である、請求項６に記載の医薬組成物。
【請求項８】
活性物質が、成長因子、サイトカイン、インヒビター、免疫抑制剤、ステロイド、ケモカイン、抗体、抗生物質、抗真菌剤、抗ウイルス剤、マイトマイシンC、および他の細胞タイプからなる群から選択される、請求項７に記載の医薬組成物。
【請求項９】
他の治療法が、安静、氷冷、圧迫、拳上、運動および理学療法からなる群から選択される、請求項６に記載の医薬組成物。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
4〜7のpHを有し、(i)0.05%w/v〜0.5%w/vの濃度のグルカゴン、ならびに(ii)グルカゴンを溶液に溶解するのに充分な量の可溶化剤としてのベンザルコニウム塩およびベンゼトニウム塩から選択される陽イオン性界面活性剤を含み、さらに荷電していない張度改変剤を含む、水溶液組成物であって、
前記組成物中のグルカゴンおよび前記陽イオン性界面活性剤由来のもの以外の荷電した種の全体の濃度が、150mM未満である、水溶液組成物。
【請求項２】
前記陽イオン性界面活性剤が塩化ベンゼトニウムなどのベンゼトニウム塩から選択される、請求項１記載の組成物。
【請求項３】
前記陽イオン性界面活性剤が塩化ベンザルコニウムなどのベンザルコニウム塩から選択される、請求項１記載の組成物。
【請求項４】
前記陽イオン性界面活性剤の濃度が0.05〜0.20%w/v、例えば0.15〜0.20%w/vである、請求項１〜３いずれか記載の組成物。
【請求項５】
1〜50mMの濃度のフェノールをさらに含む、請求項１〜４いずれか記載の組成物。
【請求項６】
0.1〜0.2%w/vの濃度のグルカゴンを含む、請求項１〜５いずれか記載の組成物。
【請求項７】
前記組成物中のグルカゴンおよび前記陽イオン性界面活性剤由来のもの以外の荷電した種の全体の濃度が、50mM未満である、請求項１〜６いずれか記載の組成物。
【請求項８】
非イオン性界面活性剤を実質的に含まない、請求項１〜７いずれか記載の組成物。
【請求項９】
ベンザルコニウム塩およびベンゼトニウム塩から選択される陽イオン性界面活性剤とは別の陰イオン性界面活性剤、陽イオン性界面活性剤および両イオン性界面活性剤などのイオン性界面活性剤を実質的に含まない、請求項１〜８いずれか記載の組成物。
【請求項１０】
前記荷電していない張度改変剤は、1,2-プロパンジオール、グリセロール、マンニトール、ソルビトール、キシリトール、ラクチトール、スクロース、ラフィノースおよびトレハロースから選択されるポリオールであり、例えばマンニトールもしくはトレハロースまたはそれらの混合物のいずれかである、請求項１〜９いずれか記載の組成物。
【請求項１１】
バッファとして酢酸塩を含む、請求項１〜１０いずれか記載の組成物。
【請求項１２】
酸化防止剤としてのメチオニンをさらに含む、請求項１〜１１いずれか記載の組成物。
【請求項１３】
請求項１〜１２いずれか記載の組成物の単位用量を含む容器。
【請求項１４】
注射装置および注射される請求項１〜１２いずれか記載の組成物の単位用量を含む容器を含む、筋内投与、皮下投与または非経口投与のための単回使用注射器。
【請求項１５】
注射または注入される請求項１〜１２いずれか記載の組成物の単位用量を含み、針と流体連絡している容器を含む、ポンプデバイス。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
絶縁層と、
前記絶縁層の上に形成され、ソルダーレジストの開口部を通じて露出されるパッドと、
前記パッドの上から前記ソルダーレジストの開口部を埋め込みながら形成され、前記ソルダーレジストの開口部の幅より小幅を有するバンプと、
を含むことを特徴とする、印刷回路基板。
【請求項２】
前記バンプは、
前記ソルダーレジストの開口部を埋め込み、前記ソルダーレジストの表面の上に所定の高さを有して突出することを特徴とする、請求項１に記載の印刷回路基板。
【請求項３】
前記パッドと前記バンプとの間に形成されて、前記パッドとバンプとを電気的に連結するバンプ連結部が更に含まれることを特徴とする、請求項１または２に記載の印刷回路基板。
【請求項４】
前記バンプは前記バンプ連結部の上面幅より小幅を有して形成されることを特徴とする、請求項３に記載の印刷回路基板。
【請求項５】
前記バンプは、前記パッドの上面幅より小幅を有して形成されることを特徴とする、請求項１乃至４のいずれか１項に記載の印刷回路基板。
【請求項６】
前記バンプは上面及び前記上面と対向する下面の幅が同一であることを特徴とする、請求項１乃至５のいずれか１項に記載の印刷回路基板。
【請求項７】
前記バンプは、円柱、四角柱、及び多角柱のうち、少なくともいずれか１つの形状を有することを特徴とする、請求項１乃至６のいずれか１項に記載の印刷回路基板。
【請求項８】
前記バンプは銅を含む合金で形成されていることを特徴とする、請求項１乃至７のいずれか１項に記載の印刷回路基板。
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
ＲＦＩＤデバイスにおける使用に好適なアンテナであって、
絶縁基板と、
前記絶縁基板上又は前記絶縁基板内に配設される第１の導電性微小パターンであって、連続的なメッシュ導電体を画定する、第１の導電性微小パターンと、
を備え、
前記第１の導電性微小パターンが、９１５ＭＨｚの周波数に少なくとも応答するアンテナを形成し、
前記第１の導電性微小パターンが、０．５〜２０マイクロメートルの範囲内のトレース幅を有する相互接続されたトレースを備え、
前記第１の導電性微小パターンが、少なくとも８０％の開放面積率を特徴とする、アンテナ。
【請求項２】
ＲＦＩＤデバイスであって、
請求項１に記載のアンテナと、
前記アンテナを使用して信号を送受信するように構成される集積回路と、
を備える、ＲＦＩＤデバイス。
【請求項３】
カード層と、
前記カード層によって担持されるアンテナと、
前記アンテナを使用して信号を送受信するように構成される集積回路と、
を備え、
前記アンテナが、連続的なメッシュ導電体を画定する導電性微小パターンを備え、前記導電性微小パターンが、９１５ＭＨｚの周波数に少なくとも応答するアンテナを形成し、前記導電性微小パターンが、０．５〜２０マイクロメートルの範囲内のトレース幅を有する相互接続されたトレースを備え、前記導電性微小パターンが、少なくとも８０％の開放面積率を特徴とする、カード。
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
負荷インピーダンスを用いたアクティブ停止帯域フィルタであって、
送信線により接続されたフィルタ入力及びフィルタ出力と、前記送信線に結合されて線の部分により構成された共振子とを有し、
前記線の部分は、接地に接続された片端と、負荷インピーダンスに接続可能な他端とを有し、
前記共振子と前記負荷インピーダンスとの間に、選択された動作帯域でフィルタリング機能をアクティブ化する手段を有するアクティブ停止帯域フィルタ。
【請求項２】
前記フィルタリング機能をアクティブ化する手段は、前記共振子の片端と前記負荷インピーダンスとの間に位置するスイッチにより実現される、請求項１に記載の停止帯域フィルタ。
【請求項３】
前記負荷インピーダンスは、コンデンサ、バラクタダイオード又はアクティブコンデンサを模擬する負抵抗回路の中から選択される、請求項１に記載の停止帯域フィルタ。
【請求項４】
前記負荷インピーダンスがパッシブコンデンサである場合、前記フィルタリング機能をアクティブ化する手段は、前記共振子の片端と前記パッシブコンデンサとの間に位置するPINダイオードにより実現される、請求項１に記載の停止帯域フィルタ。
【請求項５】
前記負荷インピーダンスがアクティブコンデンサである場合、前記フィルタリング機能をアクティブ化する手段は、前記アクティブコンデンサを実現可能にするトランジスタの供給電圧により実現される、請求項１に記載の停止帯域フィルタ。
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
検索結果を提供するシステムであって、
第１の画面によりユーザに情報を表示する装置であって、表示されている情報は第２の画面で表示されるコンテンツに関連している、装置と、
前記装置で前記第１の画面により如何なる情報が現在表示されているかを判別し、検索を、前記第１の画面で表示されている情報に限定し、前記ユーザに対する検索結果を決定する、サーチエンジンと
を有するシステム。
【請求項２】
前記装置が、移動電話、ラップトップ、パッド、モニタ及びテレビジョンのうちの何れかである、請求項１に記載のシステム。
【請求項３】
前記表示されている情報は電子番組ガイドである、請求項１に記載のシステム。
【請求項４】
前記サーチエンジンは、ユーザが検索パラメータ文字列を入力する際に表示されている情報を動的に探す、請求項１に記載のシステム。
【請求項５】
前記サーチエンジンは、探す情報を判別する場合に、少なくとも１つのユーザが提供した所定の範囲を利用する、請求項１に記載のシステム。
【請求項６】
前記サーチエンジンは、表示されている情報に基づいて検索エントリを自動的に補完する、請求項１に記載のシステム。
【請求項７】
前記サーチエンジンは、ソーシャルネットワーキング情報に基づいて検索エントリを自動的に補完する、請求項１に記載のシステム。
【請求項８】
検索結果の決定方法であって、
電子装置において如何なる情報が表示されているかを判別するステップであって、表示されている情報は別のディスプレイにおける情報に関連する、ステップと、
表示されている情報の範囲内を検索の範囲にするステップと
を有する決定方法。
【請求項９】
各々の検索パラメータ文字列の入力と共に検索結果を動的に調整するステップを更に有する請求項８に記載の決定方法。
【請求項１０】
ソーシャルネットワーク及び他のユーザに関連する情報、表示されているデータの少なくとも１つに基づいて検索パラメータを自動的に補完するステップを更に有する請求項８に記載の決定方法。
【請求項１１】
ユーザが指定したフィルタに基づいて検索結果をフィルタリングするステップを更に有する請求項８に記載の決定方法。
【請求項１２】
ユーザ入力に基づいて前記検索の範囲を調整するステップを更に有する請求項８に記載の決定方法。
【請求項１３】
検索結果を提供するシステムであって、
電子装置において如何なる情報が表示されているかを判別する手段であって、表示されている情報は別のディスプレイにおける情報に関連する、手段と、
表示されている情報に基づいて検索の範囲を決定する手段と
を有するシステム。
【請求項１４】
ユーザ入力、ソーシャルネットワーキング情報及び時間のうち少なくとも１つに基づいて前記検索の範囲を調整する手段を更に有する請求項１３に記載のシステム。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
ヒト細胞中でのＭａｆＡの発現を上方制御することができる短いＲＮＡであって、１９〜２５ヌクレオチド長の、（ａ）配列ＡＵＣＵＧＵＡＣＵＧＧＡＵＧＡＧＣＧＧ（配列番号１）を含むか、または（ｂ）配列ＵＵＵＣＣＣＧＣＡＧＧＡＧＡＵＵＧＡＣ（配列番号２）を含む第１の鎖を含み、かつ１９〜２５ヌクレオチド長の、前記第１の鎖とともに二本鎖を形成する第２の鎖を含む、短いＲＮＡ。
【請求項２】
前記ＲＮＡのそれぞれの鎖が、その３’末端に対をなさない１〜３のヌクレオチドを持ち、オーバーハングを形成している、請求項１に記載の短いＲＮＡ。
【請求項３】
前記３’オーバーハングが１または複数のウラシルヌクレオチドを含む、請求項２に記載の短いＲＮＡ。
【請求項４】
前記３’オーバーハングが１または複数のウラシルヌクレオチドから成る、請求項２に記載の短いＲＮＡ。
【請求項５】
インスリンの産生および分泌をインビトロのヒト細胞によるグルコース反応性の方式で誘導するための、請求項１〜４のいずれか１項に定義された短いＲＮＡの使用。
【請求項６】
請求項１の（ａ）の部分に定義された短いＲＮＡと、請求項１の（ｂ）の部分に定義された短いＲＮＡとが組み合わせて用いられる、請求項５に記載の使用。
【請求項７】
インスリンの産生および分泌をヒト細胞によるグルコース反応性の方式で誘導するインビトロの方法であって、前記細胞を、請求項１〜４のいずれか１項に定義された短いＲＮＡに接触させることを含む方法。
【請求項８】
請求項１の（ａ）の部分で定義された短いＲＮＡと、請求項１の（ｂ）の部分で定義された短いＲＮＡとが組み合わせて用いられる、請求項７に記載の方法。
【請求項９】
前記ヒト細胞が幹細胞、肝臓細胞、または膵臓細胞である、請求項７〜８のいずれか１項に記載の方法。
【請求項１０】
請求項１〜４のいずれか１項に定義された短いＲＮＡを１または複数含む、エクスビボまたはインビトロのヒト細胞。
【請求項１１】
糖尿病または病的肥満の治療での使用のための、請求項１０に記載の細胞。
【請求項１２】
糖尿病、脂肪肝、または病的肥満の治療での使用のための、請求項１〜４のいずれか１項に記載の短いＲＮＡ。
【請求項１３】
請求項１〜４のいずれか１項に定義された短いＲＮＡ、および／または請求項１０に定義された細胞、ならびに薬学的に許容し得る希釈剤、担体、または賦形剤を含む、医薬組成物。
【請求項１４】
糖尿病、脂肪肝、病的肥満の治療での使用のための、請求項１３に記載の医薬組成物。
【請求項１５】
（ｉ）ヒト細胞中のＭａｆＡの発現を上方制御することができ、１９〜２５ヌクレオチド長の鎖であって、配列ＡＵＣＵＧＵＡＣＵＧＧＡＵＧＡＧＣＧＧ（配列番号１）を含む第１の鎖を含み、かつ１９〜２５ヌクレオチド長の、前記第１の鎖とともに二本鎖を形成する第２の鎖を含む、短いＲＮＡ、および
（ｉｉ）ヒト細胞中のＭａｆＡの発現を上方制御することができ、１９〜２５ヌクレオチド長の鎖であって、配列ＵＵＵＣＣＣＧＣＡＧＧＡＧＡＵＵＧＡＣ（配列番号２）を含む第１の鎖を含み、かつ１９〜２５ヌクレオチド長の、前記第１の鎖とともに二本鎖を形
成する第２の鎖を含む、短いＲＮＡ
を含む、キット。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
コア絶縁層と、
前記コア絶縁層を貫通する少なくとも１つのビアと、
前記コア絶縁層の内部に埋め込まれている内部回路層と、
前記コア絶縁層の上部または下部に形成されている外部回路層と、を含み、
前記ビアは、第１パート、前記第１パートの下部の第２パート、そして前記第１及び第２パートの間に位置し、前記第１及び第２パートの金属と異なる金属で形成される第３パートを含むことを特徴とする印刷回路基板。
【請求項２】
前記コア絶縁層は、前記ビアの前記第１及び第３パートを埋め込む第１絶縁層と、
前記第１絶縁層の下部に前記ビアの第２パートを埋め込む第２絶縁層と、
を含むことを特徴とする請求項１に記載の印刷回路基板。
【請求項３】
前記内部回路層は、前記ビアの前記第３パートと同一の物質で形成されることを特徴とする請求項２に記載の印刷回路基板。
【請求項４】
前記ビアの前記第１パートと第２パートとは、同一の物質で形成されることを特徴とする請求項１乃至３のいずれかに記載の印刷回路基板。
【請求項５】
前記内部回路層は、断面が四角形であることを特徴とする請求項１乃至３のいずれかに記載の印刷回路基板。
【請求項６】
前記内部回路層は、前記第１絶縁層の内に埋め込まれていることを特徴とする請求項２乃至４のいずれかに記載の印刷回路基板。
【請求項７】
前記印刷回路基板は、
前記内部回路層及び前記外部回路層を含む２ｎ＋１（ｎは正の整数）の数を有する回路層を含むことを特徴とする請求項１乃至６のいずれかに記載の印刷回路基板。
【請求項８】
前記ビアは、断面が六角形を有することを特徴とする請求項１乃至６のいずれかに記載の印刷回路基板。
【請求項９】
前記外部回路層は、前記コア絶縁層の上部または下部の表面に形成されているパターン溝を充填しながら形成されていることを特徴とする請求項１乃至６のいずれかに記載の印刷回路基板。
【請求項１０】
前記パターン溝の断面は、Ｕ字型を有することを特徴とする請求項９に記載の印刷回路基板。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
コア絶縁層と、
前記コア絶縁層を貫通する少なくとも１つのビアと、
前記コア絶縁層の内部に埋め込まれている内部回路層と、
前記コア絶縁層の上部または下部に形成されている外部回路層と、含み、
前記ビアは、第１パート、前記第１パートの下部の第２パート、前記第１及び前記第２パートの間の第３パート、そして前記第１乃至第３パートの間に形成され、前記第１乃至第３パートと互いに異なる金属で形成されている少なくとも１つのバリア層を含むことを特徴とする印刷回路基板。
【請求項２】
前記コア絶縁層は、前記ビアの前記第１及び第３パートを埋め込む第１絶縁層と、
前記第１絶縁層の下部に前記ビアの第２パートを埋め込む第２絶縁層と、
を含むことを特徴とする請求項１に記載の印刷回路基板。
【請求項３】
前記内部回路層は、前記ビアの前記第３パートと同一の物質で形成されることを特徴とする請求項２に記載の印刷回路基板。
【請求項４】
前記ビアの前記第１パート乃至前記第３パートは、同一の物質で形成されることを特徴とする請求項１乃至３のいずれか１項に記載の印刷回路基板。
【請求項５】
前記内部回路層は、断面が四角形であることを特徴とする請求項１乃至３のいずれか１項に記載の印刷回路基板。
【請求項６】
前記バリア層は、前記第１パートと前記第３パートとの間に形成される第１バリア層と、
前記第３パートと前記第２パートとの間に形成されている第２バリア層と、を含み、
前記第１及び第２バリア層は、同一の物質で形成されていることを特徴とする請求項１乃至３のいずれか１項に記載の印刷回路基板。
【請求項７】
前記印刷回路基板は、
前記内部回路層及び前記外部回路層を含む２ｎ＋１（ｎは正の整数）の数を有する回路層を含むことを特徴とする請求項１乃至６のいずれか１項に記載の印刷回路基板。
【請求項８】
前記内部回路層は、下部に前記バリア層を含むことを特徴とする請求項１乃至３のいずれか１項に記載の印刷回路基板。
【請求項９】
前記コア絶縁層の上部または下部に形成され、前記ビアを露出する接着層をさらに含むことを特徴とする請求項１乃至３のいずれか１項に記載の印刷回路基板。
【請求項１０】
前記接着層は、プライマー樹脂を含むことを特徴とする請求項９に記載の印刷回路基板。